【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
表示部とプロセッサ部とを備える情報処理装置において実行されるプログラムであって、前記プログラムは、
ユーザが商品の項目に関する情報を入力する際の入力可否を制御することと、
前記ユーザの前記情報の入力を可とするように制御される場合に、前記ユーザによって入力された前記情報を受信することと、
前記商品の前記項目に関する他のユーザについての情報を前記表示部に表示することであって、前記商品の前記項目に関する他のユーザについての情報は、前記商品の前記項目に対する他のユーザの関心度を含む、ことと、
を含む処理を実行することを前記プロセッサ部に行わせ、
前記入力可否を制御することは、前記商品の前記項目に対する他のユーザの関心度が所定の閾値未満の項目に対する入力を不可にすることを含む、プログラム。
【請求項２】
表示部とプロセッサ部とを備える情報処理装置において実行されるプログラムであって、前記プログラムは、
ユーザが商品の項目に関する情報を入力する際の入力可否を制御することと、
前記ユーザの前記情報の入力を可とするように制御される場合に、前記ユーザによって入力された前記情報を受信することと、
前記商品の前記項目に関する他のユーザについての情報を前記表示部に表示することであって、前記商品の前記項目に関する他のユーザについての情報は、前記商品の前記項目に対する他のユーザの関心度を含む、ことと、
前記商品の前記項目に関する他のユーザの関心度の高い順に、前記商品の前記項目を並べ替えて前記表示部に表示することと
を含む処理を実行することを前記プロセッサ部に行わせる、プログラム。
【請求項３】
前記他のユーザの関心度は、前記ユーザが属する集団に対する前記商品の前記項目に対して関心のある人の比率によって表される、請求項２または請求項３に記載のプログラム。
【請求項４】
前記他のユーザの関心度は、前記ユーザが属する集団に対する前記商品の前記項目について入力を行った人の比率によって表される、請求項２または請求項３に記載のプログラム。
【請求項５】
前記処理は、前記ユーザの属性および／またはプロフィールを受信することをさらに含み、
前記入力可否を制御することは、前記受信されたユーザの属性および／またはプロフィールに応じて、所定の項目に対する入力を不可にすることを含む、請求項１〜４のいずれか一項に記載のプログラム。
【請求項６】
前記処理は、前記ユーザによる前記商品の前記項目の選択入力を受信することをさらに含み、
前記入力可否を制御することは、前記ユーザによって選択された前記商品の前記項目に対する入力を不可にすることを含む、請求項１〜５のいずれか一項に記載のプログラム。
【請求項７】
前記表示することは、前記商品の前記項目に関する他のユーザの関心度を時系列で表示することを含む、請求項１〜６のいずれか一項に記載のプログラム。
【請求項８】
前記処理は、前記ユーザに対する質問と共に前記質問に対する他のユーザの回答結果を前記表示部に表示することをさらに含み、
前記情報を受信することは、前記ユーザによって入力された前記質問に対する回答を受信することを含む、請求項１〜８のいずれか一項に記載のプログラム。
【請求項９】
前記処理は、
前記受信された回答に応じて、前記商品を取引するために必要な金額を変更することと、
前記回答を受信することに応答して、前記回答に応じた前記金額の変動分を前記表示部に表示することと
をさらに含む、請求項８に記載のプログラム。
【請求項１０】
ユーザが商品の項目に関する情報を入力する際の入力可否を制御する手段と、
ユーザによって入力された商品の項目に関する情報を受信する手段であって、前記ユーザの前記情報の入力を可とするように制御される場合に、前記情報を受信する、手段と、
前記商品の前記項目に関する他のユーザについての情報を表示する手段であって、前記商品の前記項目に関する他のユーザについての情報は、前記商品の前記項目に対する他のユーザの関心度を含む、手段と
を備え、前記入力可否を制御する手段は、前記商品の前記項目に対する他のユーザの関心度が所定の閾値未満の項目に対する入力を不可にする、情報処理装置。
【請求項１１】
表示部とプロセッサ部とを備える情報処理装置において実行される方法であって、前記方法は、
前記プロセッサ部が、ユーザが商品の項目に関する情報を入力する際の入力可否を制御することと、
前記プロセッサ部が、前記ユーザの前記情報の入力を可とするように制御される場合に、前記ユーザによって入力された前記情報を受信することと、
前記プロセッサ部が、前記商品の前記項目に関する他のユーザについての情報を前記表示部に表示することであって、前記商品の前記項目に関する他のユーザについての情報は、前記商品の前記項目に対する他のユーザの関心度を含む、ことと、
を含み、前記入力可否を制御することは、前記商品の前記項目に対する他のユーザの関心度が所定の閾値未満の項目に対する入力を不可にすることを含む、方法。
【請求項１２】
ユーザが商品の項目に関する情報を入力する際の入力可否を制御する手段と、
ユーザによって入力された商品の項目に関する情報を受信する手段であって、前記ユーザの前記情報の入力を可とするように制御される場合に、前記情報を受信する、手段と、
前記商品の前記項目に関する他のユーザについての情報を表示する手段であって、前記商品の前記項目に関する他のユーザについての情報は、前記商品の前記項目に対する他のユーザの関心度を含む、手段と
を備え、前記表示する手段は、前記商品の前記項目に関する他のユーザの関心度の高い順に、前記商品の前記項目を並べ替えて表示する、情報処理装置。
【請求項１３】
表示部とプロセッサ部とを備える情報処理装置において実行される方法であって、前記方法は、
前記プロセッサ部が、ユーザが商品の項目に関する情報を入力する際の入力可否を制御することと、
前記プロセッサ部が、前記ユーザの前記情報の入力を可とするように制御される場合に、前記ユーザによって入力された前記情報を受信することと、
前記プロセッサ部が、前記商品の前記項目に関する他のユーザについての情報を前記表示部に表示することであって、前記商品の前記項目に関する他のユーザについての情報は、前記商品の前記項目に対する他のユーザの関心度を含む、ことと、
前記商品の前記項目に関する他のユーザの関心度の高い順に、前記商品の前記項目を並べ替えて前記表示部に表示することと
を含む方法。
【請求項１４】
複数のユーザの端末装置にネットワークを介して接続されることが可能な情報処理装置において実行されるプログラムであって、前記情報処理装置は、プロセッサ部を備え、前記プログラムは、
商品の項目に関する各ユーザについての情報を前記複数のユーザの端末装置のそれぞれから受信することと、
前記受信された情報のそれぞれに基づいて、前記商品の項目に関する他のユーザについての情報を生成することであって、前記商品の前記項目に関する他のユーザについての情報は、前記商品の前記項目に対する他のユーザの関心度を含む、ことと、
前記商品の前記項目に関する他のユーザについての情報を前記端末装置に送信することと
前記商品の前記項目に対する他のユーザの関心度が所定の閾値未満の項目に対する入力を不可にするように、前記端末装置を制御することと
を含む処理を実行することを前記プロセッサ部に行わせる、プログラム。
【請求項１５】
複数のユーザの端末装置にネットワークを介して接続されることが可能な情報処理装置において実行される方法であって、前記情報処理装置は、プロセッサ部を備え、前記方法は、
前記プロセッサ部が、商品の項目に関する各ユーザについての情報を前記複数のユーザの端末装置のそれぞれから受信することと、
前記プロセッサ部が、前記受信された情報のそれぞれに基づいて、前記商品の項目に関する他のユーザについての情報を生成することであって、前記商品の前記項目に関する他のユーザについての情報は、前記商品の前記項目に対する他のユーザの関心度を含む、ことと、
前記プロセッサ部が、前記商品の前記項目に関する他のユーザについての情報を前記端末装置に送信することと、
前記商品の前記項目に対する他のユーザの関心度が所定の閾値未満の項目に対する入力を不可にするように、前記端末装置を制御することと
を含む、方法。
【請求項１６】
複数のユーザの端末装置にネットワークを介して接続されることが可能な情報処理装置であって、
商品の項目に関する各ユーザについての情報を前記複数のユーザの端末装置のそれぞれから受信する手段と、
前記受信された情報のそれぞれに基づいて、前記商品の項目に関する他のユーザについての情報を生成する手段であって、前記商品の前記項目に関する他のユーザについての情報は、前記商品の前記項目に対する他のユーザの関心度を含む、手段と、
前記商品の前記項目に関する他のユーザについての情報を前記端末装置に送信する手段と
前記商品の前記項目に対する他のユーザの関心度が所定の閾値未満の項目に対する入力を不可にするように、前記端末装置を制御する手段と
を備える情報処理装置。
【請求項１７】
複数のユーザの端末装置にネットワークを介して接続されることが可能な情報処理装置において実行されるプログラムであって、前記情報処理装置は、プロセッサ部を備え、前記プログラムは、
商品の項目に関する各ユーザについての情報を前記複数のユーザの端末装置のそれぞれから受信することと、
前記受信された情報のそれぞれに基づいて、前記商品の項目に関する他のユーザについての情報を生成することであって、前記商品の前記項目に関する他のユーザについての情報は、前記商品の前記項目に対する他のユーザの関心度を含む、ことと、
前記商品の前記項目に関する他のユーザについての情報を前記端末装置に送信することと
前記商品の前記項目に関する他のユーザの関心度の高い順に、前記商品の前記項目を並べ替えて表示するように、前記端末装置を制御することと
を含む処理を実行することを前記プロセッサ部に行わせる、プログラム。
【請求項１８】
複数のユーザの端末装置にネットワークを介して接続されることが可能な情報処理装置において実行される方法であって、前記情報処理装置は、プロセッサ部を備え、前記方法は、
前記プロセッサ部が、商品の項目に関する各ユーザについての情報を前記複数のユーザの端末装置のそれぞれから受信することと、
前記プロセッサ部が、前記受信された情報のそれぞれに基づいて、前記商品の項目に関する他のユーザについての情報を生成することであって、前記商品の前記項目に関する他のユーザについての情報は、前記商品の前記項目に対する他のユーザの関心度を含む、ことと、
前記プロセッサ部が、前記商品の前記項目に関する他のユーザについての情報を前記端末装置に送信することと、
前記商品の前記項目に関する他のユーザの関心度の高い順に、前記商品の前記項目を並べ替えて表示するように、前記端末装置を制御することと
を含む、方法。
【請求項１９】
複数のユーザの端末装置にネットワークを介して接続されることが可能な情報処理装置であって、
商品の項目に関する各ユーザについての情報を前記複数のユーザの端末装置のそれぞれから受信する手段と、
前記受信された情報のそれぞれに基づいて、前記商品の項目に関する他のユーザについての情報を生成する手段であって、前記商品の前記項目に関する他のユーザについての情報は、前記商品の前記項目に対する他のユーザの関心度を含む、手段と、
前記商品の前記項目に関する他のユーザについての情報を前記端末装置に送信する手段と
前記商品の前記項目に関する他のユーザの関心度の高い順に、前記商品の前記項目を並べ替えて表示するように、前記端末装置を制御する手段と
を備える情報処理装置。